(57)【要約】【課題】安価な装置を用いて高精度に短時間で版のアライメントを行なうこと。【解決手段】平台オフセット印刷装置１０はフレーム１１と、フレーム１１上に設けられた版定盤１２および印刷定盤１８とを備えている。フレーム１１上にキャリッジ２０が移動自在に設けられている。版定盤１２は、版定盤本体１２ａと、版１５とを有し、版１５の開口１５ａに駆動機構１３のピン１３ａが挿入されている。キャリッジ２０に取付けられたカメラ２３により版１５の位置が検出され、カメラ２３からの信号に基づいて制御部２５により駆動機構１３が駆動する。駆動機構１３により、版１５は全体としてｘ方向、ｙ方向および回転方向へ移動する。【選択図】　図３
2004122441.tif 000002
【特許請求の範囲】
【請求項１】
フレームと、
フレーム上に順次配置された版定盤および印刷定盤と、
フレームに沿って移動可能に設けられ、ブランケット胴とインキロールとを有するキャリッジとを備え、
版定盤は版定盤本体と、版定盤本体上に摺動自在に設けられた版とを有し、
版定盤本体に、版を版定盤本体に対して移動させる複数の駆動機構を設け、
キャリッジに版の位置を検出するカメラを取付け、
カメラからの検出信号に基づいて制御部により各駆動機構を同期して駆動することを特徴とする平台オフセット印刷装置。
【請求項２】
版は開口を有するとともに、各駆動機構は版の開口に挿入されるピンを有することを特徴とする請求項１記載の平台オフセット印刷装置。
【請求項３】
版は長方形状をなし、版の開口は版の４隅に設けられ、
駆動機構は版の開口に対応して４台設けられていることを特徴とする請求項１記載の平台オフセット印刷装置。
【請求項４】
駆動機構は互いに同期して版をｘ方向、ｙ方向および回転方向に駆動することを特徴とする請求項１記載の平台オフセット印刷装置。
【請求項５】
フレームと、
フレーム上に順次配置された版定盤および印刷定盤と、
フレームに沿って移動可能に設けられ、ブランケット胴とインキロールとを有するキャリッジとを備え、
印刷定盤上に駆動機構を介して被印刷物が摺動自在に設けられ、
キャリッジに被印刷物の位置を検出するカメラを取付け、
カメラからの検出信号に基づいて制御部により各駆動機構を同期して駆動したことを特徴とする平台オフセット印刷装置。
【発明の詳細な説明】
【０００１】
【発明の属する技術分野】
本発明は、平台オフセット印刷装置に係り、とりわけ版定盤の版のアライメントを精度良く行なうことができる平台オフセット印刷装置に関する。
【０００２】
【従来の技術】
平台オフセット印刷装置はフレーム上に配置されるとともに版を有する版定盤と、フレーム上に配置されるとともに被印刷物を支持する印刷定盤とを備えている。このような平台オフセット印刷装置において、印刷定盤上の被印刷物に対し所定の場所に印刷を行なうためには、版定盤の版のアライメントが重要である。従来、版定盤の版のアライメントを行なう際、被印刷物のアライメントずれ量を測定し、版を固定している咥え部を解除して、版を人手で動かすことによりアライメント調整を行なっている。あるいは版定盤に版を固定した状態で、ｘ−ｙ−θの移動機構を用いて版定盤を移動させることにより版のアライメント調整を行なっている。
【０００３】
【発明が解決しようとする課題】
版を固定している咥え部を解除して人手により版のアライメント調整を行なう場合、人手ではアライメントの微調整が難しく、調整に多大の時間が必要となっている。また、版表面に異物が付着するなど、被印刷物の品質を低下させる問題が起こっている。また、版を固定した版定盤を動かす方法では、ｘ−ｙ−θの機構が複雑な上に装置費用が高くなるという問題がある。
【０００４】
本発明はこのような点を考慮してなされたものであり、容易かつ簡易に版定盤の版に対するアライメントを行なうことができる平台オフセット印刷装置を提供することを目的とする。
【０００５】
【課題を解決するための手段】
本発明は、フレームと、フレーム上に順次配置された版定盤および印刷定盤と、フレームに沿って移動可能に設けられ、ブランケット胴とインキロールとを有するキャリッジとを備え、版定盤は版定盤本体と、版定盤本体上に摺動自在に設けられた版とを有し、版定盤本体に、版を版定盤本体に対して移動させる複数の駆動機構を設け、キャリッジに版の位置を検出するカメラを取付け、カメラからの検出信号に基づいて制御部により各駆動機構を同期して駆動することを特徴とする平台オフセット印刷装置である。
【０００６】
本発明は、版は開口を有するとともに、各駆動機構は版の開口に挿入されるピンを有することを特徴とする平台オフセット印刷装置である。
【０００７】
本発明は、版は長方形状をなし、版の開口は版の４隅に設けられ、駆動機構は版の開口に対応して４台設けられていることを特徴とする平台オフセット印刷装置である。
【０００８】
本発明は、駆動機構は互いに同期して版をｘ方向、ｙ方向および回転方向に駆動することを特徴とする平台オフセット印刷装置である。
【０００９】
本発明は、フレームと、フレーム上に順次配置された版定盤および印刷定盤と、フレームに沿って移動可能に設けられ、ブランケット胴とインキロールとを有するキャリッジとを備え、印刷定盤上に駆動機構を介して被印刷物が摺動自在に設けられ、キャリッジに被印刷物の位置を検出するカメラを取付け、カメラからの検出信号に基づいて制御部により各駆動機構を同期して駆動したことを特徴とする平台オフセット印刷装置である。
【００１０】
【発明の実施の形態】
以下、図面を参照して本発明の実施の形態について説明する。
【００１１】
図１乃至図４は、本発明による平台オフセット印刷装置の一実施の形態を示す図である。
【００１２】
図１乃至図４に示すように、平台オフセット印刷装置１０はフレーム１１と、フレーム１１上に順次配置された版定盤１２および印刷定盤１８と、フレーム１１に沿って移動可能に設けられたキャリッジ２０とを備えている。
【００１３】
このうち版定盤１２は版定盤本体１２ａと、版定盤本体１２ａ上に摺動自在に設けられた版１５とを有し、さらに版定盤本体１２ａに、版１５を版定盤本体１２ａに対して移動させる複数、例えば４台の駆動機構１３が設けられている。
【００１４】
すなわち版１５は長方形状をなし、版１５の４隅に開口１５ａが設けられている。そして各駆動機構１３はこの４つの開口１５ａに対応して設けられるとともに、開口１５ａ内に挿入されるピン１３ａを有している。
【００１５】
さらにまた、版定盤１２の版定盤本体１２ａには、版１５を固定して保持するための咥え部１６が取付けられている（図２（ａ）（ｂ））。ここで図２（ａ）は版定盤１２の平面図であり、図２（ｂ）は版定盤１２の側面図である。
【００１６】
また、印刷定盤１８は、被印刷物１８ａを支持している。
【００１７】
さらに、キャリッジ２０は版定盤１２の版１５にインキを塗布するインキロール２１と、版１５上のインキを受像して、印刷定盤１８上の被印刷物１８ａに転写するブランケット胴２２とを有している。またキャリッジ２０の外面に、版１５の位置を検出するカメラ２３が設けられている。
【００１８】
カメラ２３で撮像されたカメラ画像は、制御部２５へ送られ、この制御部２５から駆動機構１３へ移動指令が送られて駆動機構１３が同期して駆動される。この場合、各駆動機構１３は、水平面上でｘ方向およびｙ方向に移動し、これにより版１５が全体として水平面上でｘ方向、ｙ方向、および回転方向に移動する。
【００１９】
次にこのような構成からなる本実施の形態の作用について説明する。まず、上述のように予め版１５の４隅に、版１５を保持するための開口１５ａが形成され、版定盤本体１２ａにピン１３ａを有する駆動機構１３が設置してある。このため版１５の開口１５ａ内にピン１３ａを挿入することにより版定盤本体１２ａ上に版１５が位置決め設置される。
【００２０】
この状態では、未だ版１５のアライメントは行なわれておらず、かつ咥え部１６は開放されている。
【００２１】
次にキャリッジ２０をフレーム１１上で移動させて、カメラ２３により版１５のアライメントマーク（図示せず）を検出する。
【００２２】
カメラ２３により検出された信号は、位置データとして制御部２５へ送られ、この制御部２５において版１５のアライメントずれ量を算出する。制御部２５は、更にこの版１５のアライメントずれ量に基づいてアライメント補正量を算出して、駆動機構１３に移動指令を出力する。
【００２３】
各駆動機構１３は移動指令を受けて各々がｘ方向およびｙ方向に移動し、このことにより版１５を全体としてｘ方向、ｙ方向および回転方向に移動させる。このようにして各駆動機構１３により版１５のアライメントを実行することができ、その後再度カメラ２３によりアライメントの終了が確認される。
【００２４】
版１５のアライメントが終了した後、版１５は咥え部１６により固定される。
【００２５】
このようにして版１５に対するアライメントを行なうことができる。この場合、人手により版１５を移動させる場合に比較して、容易かつ精度良く版１５のアライメントを行なうことができる。
【００２６】
なお、版１５を保持するため、駆動機構１３のピン１３ａを版１５の開口１５ａ内に挿入する例を示したが、ピンの代わりに駆動機構１３に磁石を設け、版１５の裏面にスチールプレートを取付けて磁力により版１５を保持してもよい。あるいは版１５を固定している咥え部１６を駆動機構１３により移動させることも出来る。また、吸着により版１５を駆動機構１３に保持することもできる。
【００２７】
さらにまた印刷定盤１８上に設けられた被印刷物１８ａをカメラ２３により検出し、カメラ２３からの検出された信号に基づいて、駆動機構により被印刷物１８ａを移動させて被印刷物１８ａのアライメントを行なってもよい。
【００２８】
【発明の効果】
以上のように本発明によれば、大型の版または被印刷物でも安価な装置構成で高精度かつ短時間でアライメント調整を行なうことができる。また、アライメント調整時に版または被印刷物表面を人が触れることがないため、版または被印刷物に異物等が付着することを防ぐことができる。更に、版定盤本体の４隅にある移動機構を同期させて版を移動させることにより、版を曲げる危険性を防止できる。
【図面の簡単な説明】
【図１】本発明による平台オフセット印刷装置の一実施例を示す側面図。
【図２】版定盤を示す図。
【図３】カメラからの信号に基づいて移動指令を出力する制御部を示す図。
【図４】本発明による平台オフセット印刷装置の動作フローチャート。
【符号の説明】
１０　平台オフセット印刷装置
１１　フレーム
１２　版定盤
１２ａ　版定盤本体
１３　駆動機構
１３ａ　ピン
１５　版
１５ａ　開口
１６　咥え部
１８　印刷定盤
１８ａ　被印刷物
２０　キャリッジ
２１　インキロール
２２　ブランケット胴
２５　制御部
【図１】
2004122441.tif 000003
【図２】
2004122441.tif 000004
【図３】
2004122441.tif 000005
【図４】
2004122441.tif 000006